(57)【要約】【課題】  顧客の多様な要望に対応するデザインすりガラス等の加工を顧客にわかり易いシステムで、早期かつ安価に行う。【解決手段】  デザインすりガラス等の注文製作を行うシステムであって、注文製作を管理するサーバー（０００１）と、顧客の端末（０００２）（０００３）（０００４）と、デザインすりガラス用のカッティングシートまたはすり加工用のマスキングシートを製作するカッティングプロッター（０００５）とを有し、サーバー（０００１）から顧客の端末（０００２）（０００３）（０００４）に対して規格化されたすりガラス用デザインとその識別符号および規格の料金が提示され、顧客の端末（０００２）（０００３）（０００４）からサーバー（０００１）に対して希望のガラスサイズとデザインの識別符号が送信され、サーバー（０００１）で前記顧客の希望に基づいて、見積情報を作成し、最終的に受注する。【選択図】  図１
2005202745.tif 000002
【特許請求の範囲】
【請求項１】
規格化された種々のすりガラス用デザインおよび各デザインの識別符号並びに各デザインのすり加工料金をサーバーから顧客の端末に対して表示するステップと、表示されたすりガラス用デザインの中から顧客が選択したデザインの識別符号および顧客のガラスサイズを入力するための希望入力フォーマットをサーバーから端末に送信するステップと、端末で受信した前記希望入力フォーマットに顧客がすりガラス用デザインの希望を入力するステップと、入力された希望情報を端末からサーバーへ送信するステップと、サーバーで受信した前記希望情報中の識別符号に対応するすりガラス用デザイン情報を顧客のガラスサイズ情報に基づいて変換した校正デザイン情報と該デザインの見積料金情報とをサーバーから顧客の端末に送信するステップと、顧客の端末からサーバーに注文情報を送信するステップと、注文情報に基づいて前記校正デザイン情報をカッティングプロッターに入力するステップと、入力された校正デザイン情報に基づいてカッティングプロッターがシートを切断するステップとを有する、デザインすりガラス等の注文製作方法。
【請求項２】
規格化された種々のすりガラス用デザインおよび各デザインの識別符号並びに各デザインのすり加工料金をサーバーから顧客の端末に対して表示するステップと、表示されたすりガラス用デザインの中から顧客が選択したデザインの識別符号および顧客のガラスサイズを入力するための希望入力フォーマットをサーバーから端末に送信するステップと、端末で受信した前記希望入力フォーマットに顧客がすりガラス用デザインの希望を入力するステップと、入力された希望情報を端末からサーバーへ送信するステップと、サーバーが、受信した前記希望情報中の識別符号に対応するすりガラス用デザイン情報を顧客のガラスサイズ情報に基づいて変換するステップと、サーバーが、変換した校正デザインについての見積価格を算出するステップと、サーバーが、前記校正デザイン情報およびその見積料金情報を顧客の端末に送信するステップと、顧客の端末からサーバーに注文情報を送信するステップと、サーバーが、注文情報に基づいて前記校正デザイン情報をカッティングプロッターに入力するステップと、カッティングプロッターが、入力された校正デザイン情報に基づいてシートを切断するステップとを有する、デザインすりガラス等の注文製作方法。
【請求項３】
顧客の端末に対してすりガラス用デザインおよび各デザインの識別符号を表示するステップにおいて、規格のガラスサイズごとに前記表示を行うことを特徴とする、請求項１または請求項２記載のデザインすりガラス等の注文製作方法。
【請求項４】
規格デザインのすり加工料金および見積料金が、原料シートのカット数、デザインの細かさ、カットされたシートの打抜き箇所を剥がす際の手間およびシート貼付の手間のうちの少なくとも一以上に基づく平米単価で算出された料金であるか、または予め設定されている最低料金であることを特徴とする、請求項１〜請求項３のうちのいずれか一項記載のデザインすりガラス等の注文製作方法。
【請求項５】
識別符号が数字および／または文字からなる請求項１〜請求項４のうちのいずれか一項記載のデザインすりガラス等の注文製作方法。
【請求項６】
デザインすりガラス等の注文製作を管理するサーバーと、顧客の端末と、デザインすりガラス製作用のシートを切断するカッティングプロッターとを備えたデザインすりガラス等の注文製作システムであって、前記サーバーは、規格化された種々のすりガラス用デザイン情報および各デザインの識別符号情報並びに各デザインのすり加工料金情報が蓄積されたデザインすりガラス規格情報蓄積部と、顧客が希望するデザインの識別符号およびそのガラスサイズを入力するための希望入力フォーマットが記憶された希望入力フォーマット記憶部と、前記蓄積されたデザインすりガラス規格情報を顧客の端末に送信する規格情報送信部と、前記希望入力フォーマットを送信する希望入力フォーマット送信部と、希望入力フォーマットに入力された希望情報を受信する希望情報受信部と、受信した希望情報に基づく校正デザイン情報とその見積料金情報とを端末に送信する見積情報送信部と、前記見積情報に対する注文情報を受信する注文情報受信部とを有し、前記顧客の端末は、デザインすりガラス規格情報および希望入力フォーマットを閲覧する閲覧部と、希望入力フォーマットに顧客の希望を入力する希望入力部と、入力した希望情報を送信する希望情報送信部と、前記見積情報を受信する見積情報受信部と、注文情報を送信する注文情報送信部とを有する、デザインすりガラス等の注文製作システム。
【請求項７】
デザインすりガラス等の注文製作を管理するサーバーと、顧客の端末と、デザインすりガラス製作用のシートを切断するカッティングプロッターとを備えたデザインすりガラス等の注文製作システムであって、前記サーバーは、規格化された種々のすりガラス用デザイン情報および各デザインの識別符号情報並びに各デザインのすり加工料金情報が蓄積されたデザインすりガラス規格情報蓄積部と、顧客が希望するデザインの識別符号およびそのガラスサイズを入力するための希望入力フォーマットが記憶された希望入力フォーマット記憶部と、前記蓄積されたデザインすりガラス規格情報を顧客の端末に送信する規格情報送信部と、前記希望入力フォーマットを送信する希望入力フォーマット送信部と、希望入力フォーマットに入力された希望情報を受信する希望情報受信部と、受信した希望情報に基いて規格デザインを顧客が希望するガラスサイズのデザインに変換する校正デザイン作成部と、校正デザインの見積料金を算出する見積料金算出部と、前記校正デザイン情報と見積料金情報とを端末に送信する見積情報送信部と、前記見積情報に対する注文情報を受信する注文情報受信部とを有し、前記顧客の端末は、デザインすりガラス規格情報および希望入力フォーマットを閲覧する閲覧部と、希望入力フォーマットに顧客が希望を入力する希望入力部と、入力した希望情報を送信する希望情報送信部と、前記見積情報を受信する見積情報受信部と、注文情報を送信する注文情報送信部とを有する、デザインすりガラス等の注文製作システム。
【請求項８】
デザインすりガラス規格情報蓄積部が、規格のガラスサイズごとにすりガラス用デザイン情報および各デザインの識別符号情報並びに各デザインのすり加工料金情報を蓄積している、請求項６または請求項７記載のデザインすりガラス等の注文製作システム。
【請求項９】
規格デザインのすり加工料金および見積料金が、原料シートのカット数、デザインの細かさ、カットされたシートの打抜き箇所を剥がす際の手間およびシート貼付の手間のうちの少なくとも一以上に基づく平米単価で算出された料金であるか、または予め設定されている最低料金であることを特徴とする、請求項６〜請求項８のうちのいずれか一項記載のデザインすりガラス等の注文製作システム。
【請求項１０】
デザインすりガラス規格情報蓄積部に蓄積されている識別符号が数字および／または文字からなる請求項６〜請求項９のうちのいずれか一項記載のデザインすりガラス等の注文製作システム。
【請求項１１】
デザインすりガラス等の注文製作を行うフランチャイズシステムであって、フランチャイジーが所有する端末と、フランチャイザーが管理するサーバーと、フランチャイザーまたはフランチャイジーが管理するカッティングプロッターを備え、前記端末は、規格化された種々のすりガラス用デザインおよび各デザインの識別符号に関する情報並びに各デザインのすり加工料金に関する情報が蓄積されたデザインすりガラス規格情報蓄積部と、デザインすりガラス規格情報を表示する規格情報表示部と、表示された規格情報の中から顧客が希望するデザインの識別符号および顧客のガラスサイズを入力するための希望入力フォーマットを記憶しておく希望入力フォーマット記憶部と、該記憶部に記憶されている希望入力フォーマットを表示する希望入力フォーマット表示部と、表示された希望入力フォーマットに顧客の希望を入力する希望入力部と、入力された希望情報をサーバーに送信する希望情報送信部と、サーバーからの校正デザインに関する情報とその見積料金に関する情報とを受信する見積情報受信部と、受信した見積情報を表示する見積情報表示部と、注文情報を送信する注文情報送信部とを有し、前記サーバーは、端末からの希望情報を受信する希望情報受信部と、受信した希望情報に基づく校正デザインに関する情報とその見積料金に関する情報とを送信する見積情報送信部と、注文情報を受信する注文情報受信部とを有し、カッティングプロッターは校正デザイン情報を入力する入力部を有する、デザインすりガラス等のフランチャイズシステム。
【請求項１２】
デザインすりガラス等の注文製作を行うフランチャイズシステムであって、フランチャイジーが所有する端末と、フランチャイザーが管理するサーバーと、フランチャイザーまたはフランチャイジーが管理するカッティングプロッターを備え、前記端末は、規格化された種々のすりガラス用デザインおよび各デザインの識別符号に関する情報並びに各デザインのすり加工料金に関する情報が蓄積されたデザインすりガラス規格情報蓄積部と、デザインすりガラス規格情報を表示する規格情報表示部と、表示された規格情報の中から顧客が希望するデザインの識別符号および顧客のガラスサイズを入力するための希望入力フォーマットを記憶しておく希望入力フォーマット記憶部と、該記憶部に記憶されている希望入力フォーマットを表示する希望入力フォーマット表示部と、表示された希望入力フォーマットに顧客の希望を入力する希望入力部と、入力された希望情報をサーバーに送信する希望情報送信部と、サーバーからの校正デザインに関する情報とその見積料金に関する情報とを受信する見積情報受信部と、受信した見積情報を表示する見積情報表示部と、注文情報を送信する注文情報送信部とを有し、前記サーバーは、端末からの希望情報を受信する希望情報受信部と、受信した希望情報に基いて規格デザインを顧客が希望するガラスサイズのデザインに変換する校正デザイン作成部と、校正デザインの見積料金を算出する見積料金算出部と、前記校正デザインに関する情報とその見積料金に関する情報とを送信する見積情報送信部と、注文情報を受信する注文情報受信部とを有し、カッティングプロッターは校正デザイン情報を入力する入力部を有する、デザインすりガラス等のフランチャイズシステム。
【請求項１３】
規格化された種々のすりガラス用デザインおよび各デザインの識別符号並びに各デザインのすり加工料金が掲載されたカタログの中から顧客が選択したすりガラス用デザインの識別符号および希望するガラスサイズに関する情報を通知するステップと、通知されたすりガラス用デザインの識別符号および希望するガラスサイズに関する情報に基づいてすりガラス用デザインを校正するステップと、校正したすりガラス用デザインの見積料金を算出するステップと、算出した見積料金および前記校正デザインに関する情報を通知するステップと、前記校正デザインでの注文を通知するステップと、注文があった校正デザインの情報をカッティングプロッターに入力するステップと、カッティングプロッターで前記校正デザイン情報に基づいてシートを切断するステップとを有する、デザインすりガラス等の代理店受注販売方法。
【発明の詳細な説明】
【技術分野】
【０００１】
本発明は、模様形状のすりガラス調カッティングシートや、透明フィルムに模様状の着色を施した着色シート、或いはガラスにサンドブラスト加工等を模様状に施したすりガラス等を提供するためのデザインすりガラス等の注文製作システムに関する。
【背景技術】
【０００２】
通常、住宅等の窓において、太陽光の入射を調整したり、屋外からの人の視線を遮断するために、カーテン、ブラインド、スモークガラス、或いは全面にスリ加工が施されたすりガラス等が用いられている。
【０００３】
ところが、前記カーテンの場合、厚手のものでは屋外からの人の視線を遮断できるものの、太陽光が入らないため、昼間でも照明をつけないと部屋が暗くなってしまう。また、レースカーテンの場合、適当に太陽光を取り入れることができるものの、夜間に照明をつけると室内が見え易くなり、そのため、別途厚手のカーテンも用いる必要がある。前記ブラインドの場合、太陽光を取り入れつつ、人の視線も遮断できるものの、ブラインドのルーバー内に埃が溜まり易く、その掃除が非常に煩雑であるという欠点がある。前記スモークガラスの場合、前記カーテンと同様、屋外からの人の視線を遮断できるものの、前記レースカーテンと同様の不都合がある。また、全面にスリ加工が施されたすりガラスでは、太陽光を取り入れつつ、人の視線も遮断でき、また掃除も容易であるものの、室内から外の景色や様子を見ることが全くできないという不都合がある。
【０００４】
近年、消費者ニーズの多様化に伴って、住宅についても個性化が求められるようになってきているが、建売住宅では、ある地域内で規格化された一定構造の住宅が多数並んで建てられる場合が多く、そのため、住宅購入者の購買意欲を損ねることもしばしばである。その一方、個性化された所謂、注文住宅の場合、建築費が高くなるため、住宅購入者の経済的な制限によって、購入が断念される場合も多い。
【０００５】
また、近年、様々な規模でのリフォームも盛んに行われているが、この場合でも限られた予算内で手軽に効果的なリフォームを行うことが求められている。
【発明の開示】
【発明が解決しようとする課題】
【０００６】
模様形状のすりガラス調カッティングシートを透明ガラスに貼付したものや、透明フィルムに模様状の着色を施したシートを透明ガラスに貼付したもの、或いはガラスにサンドブラスト加工等を模様状に施したデザインすりガラス等は、前述した人の視線を適当に遮断しつつ、太陽光を取り入れ、また掃除も容易であるという利点を有し、また建売住宅の新築やリフォームにおける経済的で効果的な個性化の要望にも対応し得るものである。
【０００７】
しかしながら、例えば、ガラスにサンドブラスト加工等を模様状に施したデザインすりガラスを製作する場合、従来、顧客の要望に基づいて、一人のデザイナーがすり模様を作成し、次に加工職人がガラスにマスキングシートを貼り、その後、職人が手作業で前記デザイナーが作成した模様にしたがって、マスキングシートの一部を切除し、次に高圧の研磨砂をガラスに吹き付けてすり模様を付していた。そのため、前記デザインに沿ったマスキングシートの手作業でのシート切除に多大な手間と時間とを要し、また製作費も非常に高価となることから、サンドブラスト加工等したデザインすりガラスは主に店舗等の商業施設で用いられ、個人の住宅で使用されることは少なかった。また、サンドブラスト加工したデザインすりガラスの製作は、前述したように、顧客の要望に沿う模様をデザイナーが作成し、何回かの打ち合わせおよび手直しを経た後、職人の手作業でシートが切断されて、ブラスト加工が行われるという形態であるため、製作時間が長く、しかも不特定な種々の手数料がかかり、デザインすりガラス毎に、また業者によっても料金が大きく異なることもあった。そのため、顧客にとっては、費用および納期等の面で不確定な面が多いという問題があった。
【０００８】
一方、すりガラス調カッティングシートを貼付したデザインすりガラスの場合、デザイナーが模様を製作し、業者が前記模様に沿ったカットラインのパスデータを作成して、これをカッティングプロッターに入力するだけで、所望の模様形状のすりガラス調シートが得られるものの、前記デザイナーの模様製作料は必要であり、また通常、模様製作はある特定のデザイナーに依頼される場合が多いため、デザインが近似化し易く、そのため、性別、年齢およびセンス等が異なる顧客の多様な要望に十分に対応できないという問題があった。
【０００９】
本発明の目的は、顧客の多様な要望に対応するデザインのすりガラス調カッティングシートや、すり加工したガラス等を短期間で安価に、しかも顧客にわかり易い料金提示で提供することができるデザインすりガラス等の注文製作システム等を提供することにある。
【課題を解決するための手段】
【００１０】
請求項１記載の本発明は、規格化された種々のすりガラス用デザインおよび各デザインの識別符号並びに各デザインのすり加工料金をサーバーから顧客の端末に対して表示するステップと、表示されたすりガラス用デザインの中から顧客が選択したデザインの識別符号および顧客のガラスサイズを入力するための希望入力フォーマットをサーバーから端末に送信するステップと、端末で受信した前記希望入力フォーマットに顧客がすりガラス用デザインの希望を入力するステップと、入力された希望情報を端末からサーバーへ送信するステップと、サーバーで受信した前記希望情報中の識別符号に対応するすりガラス用デザイン情報を顧客のガラスサイズ情報に基づいて変換した校正デザイン情報と該デザインの見積料金情報とをサーバーから顧客の端末に送信するステップと、顧客の端末からサーバーに注文情報を送信するステップと、注文情報に基づいて前記校正デザイン情報をカッティングプロッターに入力するステップと、入力された校正デザイン情報に基づいてカッティングプロッターがシートを切断するステップとを有する、デザインすりガラス等の注文製作方法に関するものである。
【００１１】
請求項２記載の本発明は、規格化された種々のすりガラス用デザインおよび各デザインの識別符号並びに各デザインのすり加工料金をサーバーから顧客の端末に対して表示するステップと、表示されたすりガラス用デザインの中から顧客が選択したデザインの識別符号および顧客のガラスサイズを入力するための希望入力フォーマットをサーバーから端末に送信するステップと、端末で受信した前記希望入力フォーマットに顧客がすりガラス用デザインの希望を入力するステップと、入力された希望情報を端末からサーバーへ送信するステップと、サーバーが、受信した前記希望情報中の識別符号に対応するすりガラス用デザイン情報を顧客のガラスサイズ情報に基づいて変換するステップと、サーバーが、変換した校正デザインについての見積価格を算出するステップと、サーバーが、前記校正デザイン情報およびその見積料金情報を顧客の端末に送信するステップと、顧客の端末からサーバーに注文情報を送信するステップと、サーバーが、注文情報に基づいて前記校正デザイン情報をカッティングプロッターに入力するステップと、カッティングプロッターが、入力された校正デザイン情報に基づいてシートを切断するステップとを有する、デザインすりガラス等の注文製作方法に関するものである。
【００１２】
請求項３記載の本発明は、前記請求項１または請求項２記載のデザインすりガラス等の注文製作方法について、顧客の端末に対してすりガラス用デザインおよび各デザインの識別符号を表示するステップにおいて、規格のガラスサイズごとに前記表示を行うことを特徴とするものである。
【００１３】
請求項４記載の本発明は、請求項１〜請求項３のうちのいずれか一項記載のデザインすりガラス等の注文製作方法について、規格デザインのすり加工料金および見積料金が、原料シートのカット数、デザインの細かさ、カットしたシートの打抜き部分を剥がす際の手間およびシート貼付の手間のうちの少なくとも一以上に基づく平米単価で算出された料金であるか、または予め設定されている最低料金であることを特徴とするものである。
【００１４】
請求項５記載の本発明は、前記請求項１〜請求項４のうちのいずれか一項記載のデザインすりガラス等の注文製作方法について、識別符号が数字および／または文字からなるものである。
【００１５】
請求項６記載の本発明は、デザインすりガラス等の注文製作を管理するサーバーと、顧客の端末と、デザインすりガラス製作用のシートを切断するカッティングプロッターとを備えたデザインすりガラス等の注文製作システムであって、前記サーバーは、規格化された種々のすりガラス用デザイン情報および各デザインの識別符号情報並びに各デザインのすり加工料金情報が蓄積されたデザインすりガラス規格情報蓄積部と、顧客が希望するデザインの識別符号およびそのガラスサイズを入力するための希望入力フォーマットが記憶された希望入力フォーマット記憶部と、前記蓄積されたデザインすりガラス規格情報を顧客の端末に送信する規格情報送信部と、前記希望入力フォーマットを送信する希望入力フォーマット送信部と、希望入力フォーマットに入力された希望情報を受信する希望情報受信部と、受信した希望情報に基づく校正デザイン情報とその見積料金情報とを端末に送信する見積情報送信部と、前記見積情報に対する注文情報を受信する注文情報受信部とを有し、前記顧客の端末は、デザインすりガラス規格情報および希望入力フォーマットを閲覧する閲覧部と、希望入力フォーマットに顧客の希望を入力する希望入力部と、入力した希望情報を送信する希望情報送信部と、前記見積情報を受信する見積情報受信部と、注文情報を送信する注文情報送信部とを有する、デザインすりガラス等の注文製作システムに関するものである。
【００１６】
請求項７記載の本発明は、デザインすりガラス等の注文製作を管理するサーバーと、顧客の端末と、デザインすりガラス製作用のシートを切断するカッティングプロッターとを備えたデザインすりガラス等の注文製作システムであって、前記サーバーは、規格化された種々のすりガラス用デザイン情報および各デザインの識別符号情報並びに各デザインのすり加工料金情報が蓄積されたデザインすりガラス規格情報蓄積部と、顧客が希望するデザインの識別符号およびそのガラスサイズを入力するための希望入力フォーマットが記憶された希望入力フォーマット記憶部と、前記蓄積されたデザインすりガラス規格情報を顧客の端末に送信する規格情報送信部と、前記希望入力フォーマットを送信する希望入力フォーマット送信部と、希望入力フォーマットに入力された希望情報を受信する希望情報受信部と、受信した希望情報に基いて規格デザインを顧客が希望するガラスサイズのデザインに変換する校正デザイン作成部と、校正デザインの見積料金を算出する見積料金算出部と、前記校正デザイン情報と見積料金情報とを端末に送信する見積情報送信部と、前記見積情報に対する注文情報を受信する注文情報受信部とを有し、前記顧客の端末は、デザインすりガラス規格情報および希望入力フォーマットを閲覧する閲覧部と、希望入力フォーマットに顧客が希望を入力する希望入力部と、入力した希望情報を送信する希望情報送信部と、前記見積情報を受信する見積情報受信部と、注文情報を送信する注文情報送信部とを有する、デザインすりガラス等の注文製作システムに関するものである。
【００１７】
請求項８記載の本発明は、前記請求項６または請求項７記載のデザインすりガラス等の注文製作システムについて、デザインすりガラス規格情報蓄積部が、規格のガラスサイズごとにすりガラス用デザイン情報および各デザインの識別符号情報並びに各デザインのすり加工料金情報を蓄積していることを特徴とするものである。
【００１８】
請求項９記載の本発明は、前記請求項６〜請求項８のうちのいずれか一項記載のデザインすりガラス等の注文製作システムについて、規格デザインのすり加工料金および見積料金が、原料シートのカット数、デザインの細かさ、カットしたシートの打抜き部分を剥がす際の手間およびシート貼付の手間のうちの少なくとも一以上に基づく平米単価で算出された料金であるか、または予め設定されている最低料金であることを特徴とするものである。
【００１９】
請求項１０記載の本発明は、請求項６〜請求項９のうちのいずれか一項記載のデザインすりガラス等の注文製作システムについて、デザインすりガラス規格情報蓄積部に蓄積されている識別符号が数字および／または文字からなるものである。
【００２０】
請求項１１記載の本発明は、デザインすりガラス等の注文製作を行うフランチャイズシステムであって、フランチャイジーが所有する端末と、フランチャイザーが管理するサーバーと、フランチャイザーまたはフランチャイジーが管理するカッティングプロッターを備え、前記端末は、規格化された種々のすりガラス用デザインおよび各デザインの識別符号に関する情報並びに各デザインのすり加工料金に関する情報が蓄積されたデザインすりガラス規格情報蓄積部と、デザインすりガラス規格情報を表示する規格情報表示部と、表示された規格情報の中から顧客が希望するデザインの識別符号および顧客のガラスサイズを入力するための希望入力フォーマットを記憶しておく希望入力フォーマット記憶部と、該記憶部に記憶されている希望入力フォーマットを表示する希望入力フォーマット表示部と、表示された希望入力フォーマットに顧客の希望を入力する希望入力部と、入力された希望情報をサーバーに送信する希望情報送信部と、サーバーからの校正デザインに関する情報とその見積料金に関する情報とを受信する見積情報受信部と、受信した見積情報を表示する見積情報表示部と、注文情報を送信する注文情報送信部とを有し、前記サーバーは、端末からの希望情報を受信する希望情報受信部と、受信した希望情報に基づく校正デザインに関する情報とその見積料金に関する情報とを送信する見積情報送信部と、注文情報を受信する注文情報受信部とを有し、カッティングプロッターは校正デザイン情報を入力する入力部を有するものである。
【００２１】
請求項１２記載の本発明は、デザインすりガラス等の注文製作を行うフランチャイズシステムであって、フランチャイジーが所有する端末と、フランチャイザーが管理するサーバーと、フランチャイザーまたはフランチャイジーが管理するカッティングプロッターを備え、前記端末は、規格化された種々のすりガラス用デザインおよび各デザインの識別符号に関する情報並びに各デザインのすり加工料金に関する情報が蓄積されたデザインすりガラス規格情報蓄積部と、デザインすりガラス規格情報を表示する規格情報表示部と、表示された規格情報の中から顧客が希望するデザインの識別符号および顧客のガラスサイズを入力するための希望入力フォーマットを記憶しておく希望入力フォーマット記憶部と、該記憶部に記憶されている希望入力フォーマットを表示する希望入力フォーマット表示部と、表示された希望入力フォーマットに顧客の希望を入力する希望入力部と、入力された希望情報をサーバーに送信する希望情報送信部と、サーバーからの校正デザインに関する情報とその見積料金に関する情報とを受信する見積情報受信部と、受信した見積情報を表示する見積情報表示部と、注文情報を送信する注文情報送信部とを有し、前記サーバーは、端末からの希望情報を受信する希望情報受信部と、受信した希望情報に基いて規格デザインを顧客が希望するガラスサイズのデザインに変換する校正デザイン作成部と、校正デザインの見積料金を算出する見積料金算出部と、前記校正デザインに関する情報とその見積料金に関する情報とを送信する見積情報送信部と、注文情報を受信する注文情報受信部とを有し、カッティングプロッターは校正デザイン情報を入力する入力部を有するものである。
【００２２】
請求項１３記載の本発明は、規格化された種々のすりガラス用デザインおよび各デザインの識別符号並びに各デザインのすり加工料金が掲載されたカタログの中から顧客が選択したすりガラス用デザインの識別符号および希望するガラスサイズに関する情報を通知するステップと、通知されたすりガラス用デザインの識別符号および希望するガラスサイズに関する情報に基づいてすりガラス用デザインを校正するステップと、校正したすりガラス用デザインの見積料金を算出するステップと、算出した見積料金および前記校正デザインに関する情報を通知するステップと、前記校正デザインでの注文を通知するステップと、注文があった校正デザインの情報をカッティングプロッターに入力するステップと、カッティングプロッターで前記校正デザイン情報に基づいてシートを切断するステップとを有する、デザインすりガラス等の代理店受注販売方法に関するものである。
【００２３】
なお、本願において、「デザインすりガラス等」とは、例えば、透明ガラスにすりガラス調カッティングシートを貼付して透明ガラスをすりガラス風のものにするために用いられる前記カッティングシートや、透明フィルムに模様状の着色を施した着色シートを透明ガラスに貼付して透明ガラスをすりガラス風のものにするために用いられる前記着色シート、或いは実際にサンドブラスト等により透明ガラスにすり加工されたガラスが該当する。また更に「デザインすりガラス等」には、前記模様状のカッティングシートや着色シートを貼付したガラスや、該ガラスまたは前記すりガラスをサッシに組込んだものも含まれる。
【００２４】
また、デザインすりガラス等のすり加工料金とは、所望のデザインに沿った形状に切断したすりガラス調カッティングシートの製作費や、透明フィルムを所望のデザインに着色してなる着色シートの製作費、或いは透明ガラスにサンドブラスト等を施して実際にすり加工する際の加工に伴う費用、または前記シートを貼ったガラスや前記すりガラスの製作費、或いはこれらガラスをサッシに組込んだ場合の製作費等が含まれる。
【００２５】
また、前記透明ガラスへの実際のすり加工としては、前記サンドブラストの他、腐食エッチング等、公知のあらゆる加工方法が含まれる。
【発明の効果】
【００２６】
本発明によれば、規格化された種々のすりガラス用デザインおよび該デザインに基づくすりガラス等の加工料金が顧客に提示されるため、先ず顧客は自己の予算内に入り得るすりガラス用デザインの中から希望するものを任意に選択することができる。また、規格化された種々のすりガラス用デザインを異なるデザイナーが製作したものとすることで、顧客は異なるデザインコンセプトから創作されたバリエーションのデザインの中から自分の好みに合致し得るものを選ぶことができる。
【００２７】
また更に、本発明によれば、顧客が選択したすりガラス用デザインで、顧客が希望するガラスサイズのもの、すなわち、校正デザインによる加工料金の詳細な見積を早期に得ることもできるため、注文の前に明朗な形での正確な費用を知ることができる。しかも、前記校正デザインによる見積は、予め規格化されたデザインを基礎として出されるため、従来に比べて安価なデザイン料となり、またすりガラス加工におけるマスキングシートやカッティングシート等の製作もカッティングプロッターによって機械的に行うものであるため、従来の手作業によるシート製作の場合と比べて、費用および製作時間を大幅に削減することが可能となる。
【発明を実施するための最良の形態】
【００２８】
次に、本発明の実施の形態を述べるが、本発明は、かかる実施形態に限定されるものではなく、その要旨の範囲内で種々の変形実施がされ得る。
【００２９】
（実施形態１）
【００３０】
本実施形態は、インターネットを使ったデザインすりガラス等の注文製作システムであり、先ず、その全体構成について述べると、図１に示すように、デザインすりガラス等の注文製作を管理するサーバー（０００１）と、顧客の端末（０００２）（０００３）（０００４）と、すりガラス調のカッティングシートやデザインすりガラス製作用のマスキングシート等を所望の形状に切断するカッティングプロッター（０００５）とを備えている。
【００３１】
なお、本実施形態において、顧客とは、最終消費者の他、住宅販売会社、工務店および建具店等の業者も含まれる。
【００３２】
そして、図２に示すように、前記サーバー（０００１）は、規格化された種々のすりガラス用デザイン情報および各デザインの識別符号情報並びに各デザインのすり加工料金情報が蓄積されたデザインすりガラス規格情報蓄積部（０２０１）と、顧客が希望するデザインの識別符号およびそのガラスサイズ等を入力するための希望入力フォーマットが記憶された希望入力フォーマット記憶部（０２０２）と、前記蓄積されたデザインすりガラス規格情報を顧客の端末に送信する規格情報送信部（０２０３）と、前記希望入力フォーマットを送信する希望入力フォーマット送信部（０２０４）と、希望入力フォーマットに入力された希望情報を受信する希望情報受信部（０２０５）と、受信した希望情報に基いて規格デザインを顧客が希望するガラスサイズのデザインに変換する校正デザイン作成部（０２０６）と、校正デザインの見積料金を算出する見積料金算出部（０２０７）と、前記校正デザイン情報と見積料金情報とを端末に送信する見積情報送信部（０２０８）と、前記見積情報に対する注文情報を受信する注文情報受信部（０２０９）とを有する。
【００３３】
デザインすりガラス規格情報蓄積部（０２０１）とは、例えば小窓（Ｗ５００ｍｍ×Ｈ５００ｍｍ）、縦長窓（Ｗ３００ｍｍ×Ｈ９００ｍｍ）、腰窓（Ｗ８３０ｍｍ×Ｈ１０００ｍｍ）およびリビング窓（Ｗ７００×Ｈ１９００）といったガラスサイズごとに、各すりガラス用デザイン情報および各デザインの識別符号情報並びに各デザインのすり加工料金情報が対になって記録されているものであり、ＨＤＤ等の記録媒体とソフトウエア等により実現され、データベースとして構築され得る。
【００３４】
より具体的には、図３に示すように、例えば小窓サイズでは、すりガラス用デザイン（０３０１）の上方に識別符号としてデザイン番号（０３０２）が付され、またすりガラス用デザイン（０３０１）の下方には、上段にカッティングシートの加工料金（０３０３）が付され、下段にはサンドブラスト等によるすり加工料金（０３０４）が付されている。
【００３５】
希望入力フォーマット記憶部（０２０２）とは、図４に示すように、例えば、顧客の名前、住所、電話番号、ＦＡＸ番号、メールアドレス、希望するデザインの番号、希望のガラスサイズ、枚数および備考等の各入力欄が設けられたフォームに関する情報が記憶されたものであり、ＨＤＤ等の記録媒体と記録するソフトウエア等により実現される。また、記録媒体やソフトウエアは前記デザインすりガラス規格情報蓄積部（０２０１）を兼ねるものとして構築されても良い。
【００３６】
前記規格情報送信部（０２０３）、希望入力フォーマット送信部（０２０４）、希望情報受信部（０２０５）、見積情報送信部（０２０８）および注文情報受信部（０２０９）は、例えば、モデムおよびドライバや通信モジュール等により実現される。
【００３７】
校正デザイン作成部（０２０６）とは、前述したように、受信した希望情報に基いて規格デザインを顧客が希望するガラスサイズのデザインに変換する機能を有するものであるが、具体的には図５に示すように、規格デザイン（０５０１）の縦横の比率を変更した校正デザイン（０５０２）を作成するものであるが、場合により模様の角度を変更したり、すり部分を反転させたりという校正を行うこともある。この場合、図１７および図１８に示すように、上部に希望するすりガラスデザインが表示され、（１７０１）、下部には、ガラスサイズ、模様の回転角度、透明と不透明の反転等の校正項目（１７０２）が表示されたフォーマットに従ってすりガラスデザインの校正が自動的に行われるようにする。
【００３８】
なお、前記規格デザインの校正は、前記カッティングプロッターで処理可能なパスデータで行うのが通常であり、一方、顧客の端末に対する規格デザインや校正デザインの提示は、通常、ビットマップデータ等の形で行われ、適宜データ変換がなされる。これは、後述する各実施形態においても同様である。ただし、共通形式でのデータを用いる場合には、このようなデータ変換は省略され得る。
【００３９】
見積料金算出部（０２０７）とは、前述したように、校正デザインの見積料金を算出する機能を有するものであり、基本的には、前記規格のガラスサイズに対する希望のガラスサイズでの見積料金を算出する機能を有するものであり、通常、ＣＰＵ、メモリおよびソフトウエア等によって実現され得る。より具体的には、図６に示すように、平米単価で、例えばＡ〜Ｅまでの５段階の料金および最低料金が設定されたテーブルを有しており、前記５段階は、例えば規格のすりガラス用デザインにおけるカット数の他、デザインの細かさ、カットされた部分（打抜き箇所等）を剥がす際の手間、シートを貼る際の難易、ガラスサイズにおける面積の増減に伴う材料コスト等に基づいて総合的に決定される。また、最低料金は、算出した料金が当該最低料金未満であった場合に用いられる。すなわち、顧客の希望ガラスザイズが規格サイズより小さかった場合において、規格サイズでの料金から減額された見積料金となるが、最低料金は、その場合の下限となる加工料金である。また、デザインすりガラス等を顧客に渡すにあたり、送料がかかる場合には、前記加工料金に送料も加算されて見積料金が最終的に算出される。
【００４０】
次に、前記サーバーにおける処理の一例について述べると、図７に示すように、先ず、顧客の端末からのデザインすりガラスに関する規格情報や希望入力フォーマットの要求があるまで待機し（ステップS０７０１）、要求があった場合には、規格情報や希望入力フォーマットの情報を送信する（ステップS０７０２）。次に、顧客の端末からの前記フォーマットに入力された希望情報の受信を検知し（ステップS０７０３）、受信があった場合には、その希望情報に基づいて、希望サイズ等でのすりガラス用デザインの校正を行うと共に、見積料金を算出し（ステップS０７０４）、その後、前記校正デザイン情報および見積料金情報を顧客の端末に送信する（ステップS０７０５）。次に、顧客の端末からの注文情報の受信を検知し（ステップS０７０６）、注文情報を受信した場合には、そのすりガラス用デザインのパスデータをカッティングプロッターへ入力する（ステップS０７０７）。
【００４１】
前記顧客の端末（０００２）（０００３）（０００４）は、図８に示すように、デザインすりガラス規格情報および希望入力フォーマットを閲覧する閲覧部（０８０１）と、デザインすりガラス規格情報、希望入力フォーマットおよび見積情報等を表示する表示部（０８０２）と、希望入力フォーマットに顧客が希望を入力する希望入力部（０８０３）と、入力した希望情報を送信する希望情報送信部（０８０４）と、前記見積情報を受信する見積情報受信部（０８０５）と、注文情報を送信する注文情報送信部（０８０６）とを有するものである。
【００４２】
前記閲覧部（０８０１）とは、デザインすりガラス規格情報としてのすりガラス用デザインやその価格、或いは希望入力フォーマット等を閲覧する機能を有するものであり、ブラウザ等のソフトウエアによって実現される。
【００４３】
前記表示部（０８０２）としては、ディスプレイ等が挙げられる。
【００４４】
前記希望情報送信部（０８０４）、見積情報受信部（０８０５）および注文情報送信部（０８０６）は、いずれもモデムとドライバ、通信モジュール等により実現され得る。また、これらはそれぞれ専用のものであっても良いし、共用されるものであっても良い。
【００４５】
前記希望入力部（０８０３）とは、前述した通り、希望入力フォーマットにしたがって顧客がデザインすりガラスの希望を入力する機能を有するものであるが、具体的には、キーボート、テンキー、マウス等により実現される。
【００４６】
次に、前記端末における処理の一例について述べると、図９に示すように、先ずデザインすりガラス等の規格情報や希望入力フォーマットの閲覧要求があるまで待機し（ステップS０９０１）、要求があった場合には、これらに基づいて規格情報や入力フォーマットの表示を行う（ステップS０９０２）。その後、前記入力フォーマットに入力された希望情報の送信要求を検知し（ステップS０９０３）、要求があった場合には希望情報をサーバーへ送信する（ステップS０９０４）。次に、希望情報に基づく校正デザイン情報および見積料金情報を受信するまで待機し（ステップS０９０５）、受信した場合には、これを表示する（ステップS０９０６）。その後、前記校正デザイン情報および見積料金に係るデザインすりガラス等の注文情報をサーバーに送信する（ステップS０９０７）。
【００４７】
前記カッティングプロッター（０００５）は、市販されているもので良く、すりガラス用デザインのパスデータ等の入力部を有し、前記注文があった場合には、該注文情報に対応する校正デザイン情報がパスデータ等として入力され、カッティングシートまたはマスキングシートの所望形状への切断を行う。
【００４８】
本実施形態では、端末からの希望情報に基づいて、サーバーで校正デザインを作成すると共に見積料金を算出し、またこれに対する端末からの注文情報があった場合には、カッティングプロッターにすりガラス用デザイン情報が入力されて自動的にシートの切断が行われる構成としたが、前記校正デザインの作成および見積料金の算出は、別途パーソナルコンピュータや電子式計算機で行うこともある。また、カッティングプロッターへのパスデータ等の入力も別途手動で行う場合もある。
【００４９】
（実施形態２）
【００５０】
本実施形態は、デザインすりガラス等の注文製作を行うフランチャイズシステムであって、図１０に示すように、フランチャイジーが所有する端末（１００１）と、フランチャイザーが管理するサーバー（１００２）およびカッティングプロッター（１００３）を備えている。
【００５１】
そして、図１１に示すように、前記端末（１００１）は、規格化された種々のすりガラス用デザインおよび各デザインの識別符号に関する情報並びに各デザインのすり加工料金に関する情報が蓄積されたデザインすりガラス規格情報蓄積部（１１０１）と、デザインすりガラス規格情報蓄積部（１１０１）における規格情報の中から選択した規格情報を取得する規格情報取得部（１１０２）と、規格情報取得部（１１０２）が取得したデザインすりガラス規格情報を表示する規格情報表示部（１１０３）と、表示された規格情報の中から顧客が希望するデザインの識別符号および顧客のガラスサイズを入力するための希望入力フォーマットを記憶しておく希望入力フォーマット記憶部（１１０４）と、該記憶部（１１０４）に記憶されている希望入力フォーマットを表示する希望入力フォーマット表示部（１１０５）と、表示された希望入力フォーマットに顧客の希望を入力する希望入力部（１１０６）と、入力された希望情報をサーバーに送信する希望情報送信部（１１０７）と、サーバーからの校正デザインに関する情報とその見積料金に関する情報とを受信する見積情報受信部（１１０８）と、受信した見積情報を表示する見積情報表示部（１１０９）と、注文情報を送信する注文情報送信部（１１１０）とを有するものである。
【００５２】
前記デザインすりガラス規格情報蓄積部（１１０１）、規格情報表示部（１１０３）、希望入力フォーマット記憶部（１１０４）、希望入力フォーマット表示部（１１０５）、希望入力部（１１０６）、希望情報送信部（１１０７）、見積情報受信部（１１０８）、見積情報表示部（１１０９）および注文情報送信部（１１１０）は、前記実施形態１と同様の構成である。
【００５３】
前記デザインすりガラス規格情報蓄積部（１１０１）に蓄積されている規格情報は、パスデータであっても良いが、ビットマップデータ等のカッティングプロッターで処理できない情報とするのが通常である。
【００５４】
デザインすりガラスの規格情報取得部（１１０２）とは、デザインすりガラス規格情報蓄積部（１１０１）に記録されている規格情報の中から特定の規格情報を随時取出す機能を有するものであり、通常、ソフトウエアによって実現されるが、ハードウエア（専用回路）で実現しても良い。
【００５５】
次に、前記端末における処理の一例を述べると、図１２に示すように、先ずデザインすりガラスに関する規格情報や希望入力フォーマットの要求があるまで待機し（ステップS１２０１）、要求があった場合には、それに基づく規格情報や希望入力フォーマットを取得し（ステップS１２０２）、取得した規格情報等を表示する（ステップS１２０３）。次に、希望入力フォーマットに入力された希望情報の送信要求を検知し（ステップS１２０４）、要求があった場合には、希望情報をサーバーへ送信する。その後、サーバーからの見積情報の受信を検知し（ステップS１２０５）、受信した場合には、これを表示する（ステップS１２０６）。その後、前記見積情報に対する注文情報の送信要求を検知し（ステップS１２０７）、要求があった場合にはこれをサーバーへ送信する。
【００５６】
図１３に示すように、前記サーバー（１００２）は、端末（１００１）からの希望情報を受信する希望情報受信部（１３０１）と、受信した希望情報に基いて規格デザインを顧客が希望するガラスサイズのデザインに変換する校正デザイン作成部（１３０２）と、校正デザインの見積料金を算出する見積料金算出部（１３０３）と、前記校正デザインに関する情報とその見積料金に関する情報とを送信する見積情報送信部（１３０４）と、注文情報を受信する注文情報受信部（１３０５）とを有する。
【００５７】
前記サーバー（１００２）における各部の構成は、前記実施形態１と同様である。
【００５８】
次に、前記サーバー（１００２）における処理の一例について述べると、図１４に示すように、先ず、端末からの希望情報を受信するまで待機し（ステップS１４０１）、受信した場合には、該希望情報に基づいて、希望サイズ等でのすりガラス用デザインの校正を行うと共に、見積料金を算出し（ステップS１４０２）、次に、前記校正デザイン情報および見積料金情報を端末へ送信する（ステップS１４０３）。その後、端末からの注文情報の受信を検知し（ステップS１４０４）、受信した場合には、そのすりガラス用デザインのパスデータ等をカッティングプロッターへ入力する（ステップS１４０５）。
【００５９】
前記カッティングプロッター（１００３）の構成は、前記実施形態１と同様である。
【００６０】
なお、本実施形態において、フランチャイザーが管理するカッティングプロッター（１００３）には、フランチャイザーが提携した業者が所有するものも含まれる。また、カッティングプロッターは、フランチャイジーが管理する場合もあり、この場合には、例えば、校正デザインは完成したパスデータとしてサーバーから端末に送信され、該データが自動および／または手動により、端末からカッティングプロッターへ入力されて、シートの切断が行われることとなる。
【００６１】
（実施形態３）
【００６２】
本実施形態は、代理店を介したデザインすりガラス等の製作販売に関するものであって、図１５に示すように、代理店が有する端末（１５０１）と、本部が管理する情報処理装置（１５０２）およびカッティングプロッター（１５０３）とを用いてデザインすりガラス等の製作販売が行われる。
【００６３】
より具体的には、図１６に示すように、代理店において、規格化された種々のすりガラス用デザインおよび各デザインの識別符号並びに各デザインのすり加工料金が掲載されたカタログや、或いは更にデザインすりガラス等のサンプルを顧客が見て、その中から顧客が選択したすりガラス用デザインの識別符号および希望するガラスサイズに関する情報を端末から本部の情報処理装置へ通知するステップ（ステップS１６０１）と、通知されたすりガラス用デザインの識別符号および希望するガラスサイズに関する情報に基づいて本部の情報処理装置で、すりガラス用デザインを校正すると共に、校正したすりガラス用デザインの見積料金を算出するステップ（ステップS１６０２）と、算出した見積料金および前記校正デザインに関する見積情報を本部の情報処理装置から代理店の端末へ通知するステップ（ステップS１６０３）と、前記校正デザインでの注文を代理店の端末から本部の情報処理装置へ通知するステップ（ステップS１６０４）と、注文があった校正デザインの情報を本部の情報処理装置からカッティングプロッターに入力するステップ（ステップS１６０５）と、カッティングプロッターで前記校正デザイン情報に基づいてシートを切断するステップ（ステップS１６０６）とを有するものである。
【００６４】
なお、本部から代理店への校正デザイン情報は、パス以外のビットマップデータ等として通知されるのが好ましい。
【００６５】
また、本実施形態において、シートを切断するステップ（ステップS１６０６）の後、前記見積料金（顧客への販売価格）の５０％の料金を本部から代理店に対して課金するステップ（ステップS１６０７）を追加する場合もある。
【００６６】
前記本部と代理店間の情報の通知は、例えば電子メールで行われ、また前記顧客の希望するデザインの識別符号および希望のガラスサイズ等は所定のフォームに記入された形で本部の情報処理装置へ通知されても良い。
【００６７】
また、本実施形態の変形例として、例えば、代理店で規格化された種々のすりガラス用デザインおよび各デザインの識別符号並びに各デザインのすり加工料金が掲載されたカタログを顧客が見て、その中から顧客が選択したすりガラス用デザインの識別符号および希望するガラスサイズに関する情報をファクシミリや電話で本部に通知し、本部で情報処理装置や別途電子計算機等を用いて、算出した見積料金および前記校正デザインを電話やファクシミリ等を用いて通知し、また代理店から本部への注文も電話やファクシミリを用いて行うようにすることもある。また、場合により、本部と代理店とを光ファイバーで接続して前記デザインすりガラスの製作販売を行っても良い。
【産業上の利用可能性】
【００６８】
本発明によれば、種々のデザインすりガラス等の製作・販売を一定地域は勿論、全国的にも展開することができる。
【図面の簡単な説明】
【００６９】
【図１】実施形態１の全体構成を示す図である。
【図２】同実施形態におけるサーバーの機能ブロック図である。
【図３】規格情報の一例を示す図である。
【図４】希望入力フォーマットの一例を示す図である。
【図５】デザイン校正の一例を示す図である。
【図６】見積料金の算出に関わる図である。
【図７】実施形態１におけるサーバーの処理の一例を示すフローチャートである。
【図８】同実施形態における端末の機能ブロック図である。
【図９】同端末における処理の一例を示すフローチャートである。
【図１０】実施形態２の全体構成を示す図である。
【図１１】同実施形態における端末の機能ブロック図である。
【図１２】同端末における処理の一例を示すフローチャートである。
【図１３】同実施形態におけるサーバーの機能ブロック図である。
【図１４】同サーバーにおける処理の一例を示すフローチャートである。
【図１５】実施形態３の全体構成を示す図である。
【図１６】同実施形態における注文販売の流れを示すフローチャートである。
【図１７】すりガラスデザイン校正の他の一例を示す図である。
【図１８】図１７における校正後の状態を示す図である。
【符号の説明】
【００７０】
（０００１）  サーバー
（０００２〜４）  端末
（０００５）  カッティングプロッター
（０２０１）  デザインすりガラス規格情報蓄積部
（０２０２）  希望入力フォーマット記憶部
（０２０３）  規格情報送信部
（０２０４）  希望入力フォーマット送信部
（０２０５）  希望情報受信部
（０２０６）  校正デザイン作成部
（０２０７）  見積料金算出部
（０２０８）  見積情報送信部
（０２０９）  注文情報受信部
（０８０１）  閲覧部
（０８０２）  表示部
（０８０３）  希望入力部
（０８０４）  希望情報送信部
（０８０５）  見積情報受信部
（０８０６）  注文情報送信部
【図１】
2005202745.tif 000003
【図２】
2005202745.tif 000004
【図３】
2005202745.tif 000005
【図４】
2005202745.tif 000006
【図５】
2005202745.tif 000007
【図６】
2005202745.tif 000008
【図７】
2005202745.tif 000009
【図８】
2005202745.tif 000010
【図９】
2005202745.tif 000011
【図１０】
2005202745.tif 000012
【図１１】
2005202745.tif 000013
【図１２】
2005202745.tif 000014
【図１３】
2005202745.tif 000015
【図１４】
2005202745.tif 000016
【図１５】
2005202745.tif 000017
【図１６】
2005202745.tif 000018
【図１７】
2005202745.tif 000019
【図１８】
2005202745.tif 000020